(57)【要約】【課題】マルチアクセスによるマルチチャンネル再生によってコンテンツを再生する場合に再生開始動作の遅延を少なくすることができる記録方法とする。【解決手段】コンテンツデータ記録エリアＡｃに、各曲などの各コンテンツの低圧縮データを記録し、インデックスデータ記録エリアＡｉに、インデックスデータとして、曲先頭部や曲全体など、各コンテンツの一部または全部の内容を含む高圧縮データを、まとめて記録する。マルチチャンネル再生の少なくとも再生開始時、コンテンツデータに代えてインデックスデータを読み取って再生する。複数のコンテンツごとにセッションを設定し、そのセッションごとに、セッションのリードイン部またはリードアウト部に、セッション内の複数のコンテンツデータに対応する複数のインデックスデータを、まとめて記録してもよい。【選択図】図１
2005174394.tif 000002
【特許請求の範囲】
【請求項１】
ディスク媒体の一部エリアに、複数のコンテンツデータを記録するとともに、別のエリアに、その各コンテンツデータ中の、それぞれ対応するコンテンツの一部または全部の内容を含み、かつ対応するコンテンツデータよりデータ量の少ないインデックスデータを、まとめて記録するディスク記録方法。
【請求項２】
請求項１のディスク記録方法において、
前記各コンテンツデータは、圧縮されたデータとし、前記各インデックスデータは、それぞれ対応するコンテンツデータより高い圧縮率で圧縮されたデータとするディスク記録方法。
【請求項３】
請求項１のディスク記録方法において、
前記各コンテンツデータは、圧縮されていないデータとし、前記各インデックスデータは、圧縮されたデータとするディスク記録方法。
【請求項４】
請求項１のディスク記録方法において、
前記各インデックスデータは、それぞれ対応するコンテンツの先頭部または特徴的な部分のデータとするディスク記録方法。
【請求項５】
請求項１のディスク記録方法において、
前記各インデックスデータには、コンテンツデータにリンクするための情報を付加するディスク記録方法。
【請求項６】
ディスク媒体にすでに記録されている、またはそのディスク媒体とは別の記録媒体に記録されている各コンテンツデータから、それぞれ対応するコンテンツの一部または全部の内容を含み、かつ対応するコンテンツデータよりデータ量の少ないインデックスデータを生成するインデックスデータ生成手段と、
前記各コンテンツデータを、前記ディスク媒体の一部エリアに配置し、前記インデックスデータ生成手段によって生成された各インデックスデータを、前記ディスク媒体の別のエリアに配置するように、前記ディスク媒体に記録するデータを編集するデータ編集手段と、
その編集後のデータを前記ディスク媒体に記録するデータ記録手段と、
前記インデックスデータ生成手段、前記データ編集手段および前記データ記録手段を制御する制御手段と、
を備えるディスク記録装置。
【請求項７】
一部エリアに、複数のコンテンツデータが記録されているとともに、別のエリアに、その各コンテンツデータ中の、それぞれ対応するコンテンツの一部または全部の内容を含み、かつ対応するコンテンツデータよりデータ量の少ないインデックスデータが、まとめて記録されているディスク媒体。
【請求項８】
ディスク媒体の一部エリアに、複数のコンテンツデータを記録するとともに、別のエリアに、その各コンテンツデータ中の、それぞれ対応するコンテンツの一部または全部の内容を含み、かつ対応するコンテンツデータよりデータ量の少ないインデックスデータを、まとめて記録するために、コンピュータを、
前記各コンテンツデータから前記各インデックスデータを生成する手段、前記ディスク媒体に記録するデータを編集する手段、および、その編集後のデータを前記ディスク媒体に記録する手段、
として機能させるための記録処理プログラム。
【発明の詳細な説明】
【技術分野】
【０００１】
この発明は、音楽データや映像データなどのコンテンツデータを、光ディスクなどのディスク媒体に記録する方法および装置、コンテンツデータが記録されたディスク媒体、およびディスク媒体にコンテンツデータを記録するためのコンピュータプログラムに関する。
【背景技術】
【０００２】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク、Ｍｉｎｉ−Ｄｉｓｃ（登録商標）などの光磁気ディスク、または磁気ディスクなどのディスク媒体は、ランダムアクセスおよびマルチアクセスが可能である。
【０００３】
特許文献１（特開平１０−２９３９９０号公報）には、マルチアクセスを、ディスク媒体の異なる領域に対して同時に記録や再生を行うこととして、ハードディスクのある領域にデータを書き込む処理と別の領域からデータを読み出す処理とを同時に行うことが示されている。
【０００４】
また、特許文献２（特開２０００−２７８６４７号公報）には、複数のハードディスクを備えるマルチチャンネルＡＶ（Ａｕｄｉｏ  Ｖｉｓｕａｌ）サーバにおいて、画像再生要求があったとき、要求のあった再生速度に対応した部分の画像データを読み出して、バッファメモリに記憶し、バッファメモリから読み出して、再生画像を構成することによって、再生速度の変更が要求された場合に、その要求に即座に応じることが示されている。
【０００５】
しかし、このような記録と再生を同時に行うマルチアクセスや、複数のハードディスクを用いるマルチチャンネル化ではなく、複数のユーザが、多数の曲や映像タイトルが収録された１枚のディスク媒体に同時にアクセスして、各自の希望する曲や映像タイトルを再生し、鑑賞することが考えられる。
【０００６】
具体的に、この場合、ユーザＵ１，Ｕ２，Ｕ３が、それぞれ曲Ｍ１，Ｍ２，Ｍ３を聴こうとして、１枚のディスク媒体に同時にアクセスした場合、ディスク再生装置では、図１２に示すように、まず、読み取りヘッド４をディスク媒体２上の曲Ｍ１の先頭位置に移動させ、曲Ｍ１の最初の部分Ｍ１ａのデータを読み取って、当該チャンネルのバッファメモリ４５１に書き込む。
【０００７】
次に、矢印Ｓ１２で示すように、読み取りヘッド４を曲Ｍ２の先頭位置まで移動させ、曲Ｍ２の最初の部分Ｍ２ａのデータを読み取って、当該チャンネルのバッファメモリ４５２に書き込み、次に、矢印Ｓ２３で示すように、読み取りヘッド４を曲Ｍ３の先頭位置まで移動させ、曲Ｍ３の最初の部分Ｍ３ａのデータを読み取って、当該チャンネルのバッファメモリ４５３に書き込む。次に、曲Ｍ１に戻って、読み取りヘッド４を曲Ｍ１の次の部分Ｍ１ｂに移動させ、その部分Ｍ１ｂのデータを読み取って、バッファメモリ４５１に書き込む。以後、同様である。
【０００８】
図１３（同図の「ｃｈ」はチャンネル、「シーク」は読み取りヘッド４のディスク径方向への移動である）に示すように、バッファメモリ４５１，４５２，４５３に蓄積されたデータは、それぞれバッファメモリ４５１，４５２，４５３への転送レートより低いレートで、バッファメモリ４５１，４５２，４５３から読み出され、デコーダ４７１，４７２，４７３でデコードされる。これによって、各チャンネルの出力ＰＢ１，ＰＢ２，ＰＢ３として曲Ｍ１，Ｍ２，Ｍ３を、それぞれ連続して再生することができる。
【０００９】
なお、特許文献３（特開平７−３２５９０４号公報）には、ディスク媒体に静止画のファイルデータを書き込む際に、複数のファイルデータから１画面を構成するインデックスアイコンデータを生成して、同一のディスク媒体に記録することによって、希望するファイルデータを検索するためのアイコンをディスプレイ上に迅速に表示できるようにすることが示されている。
【００１０】
上に挙げた先行技術文献は、以下の通りである。
【特許文献１】特開平１０−２９３９９０号公報
【特許文献２】特開２０００−２７８６４７号公報
【特許文献３】特開平７−３２５９０４号公報
【発明の開示】
【発明が解決しようとする課題】
【００１１】
しかしながら、上述したようなマルチアクセスによるマルチチャンネル再生では、アクセス開始（再生開始）時、再生出力が得られるまでに時間がかかる。
【００１２】
具体的に、図１２および図１３の例で、ユーザＵ１，Ｕ２，Ｕ３のコマンドが、それぞれ時点ｔ１，ｔ２，ｔ３で、ほぼ同時に受け付けられた場合、最後の曲Ｍ３の再生出力ＰＢ３が得られるまでに、時点ｔ３から、読み取りヘッド４が曲Ｍ１の先頭位置に移動する時間、曲Ｍ１の最初の部分Ｍ１ａのデータを読み取る時間、そこから曲Ｍ２の先頭位置に移動する時間、曲Ｍ２の最初の部分Ｍ２ａのデータを読み取る時間、そこから曲Ｍ３の先頭位置に移動する時間、および曲Ｍ３の最初の部分Ｍ３ａのデータを読み取る時間を加えた時間を要する。アクセスチャンネル数が、より多い場合には、より長い時間がかかる。
【００１３】
そこで、この発明は、ディスク媒体にコンテンツデータを記録する方法として、当該の方法によってコンテンツデータが記録されたディスク媒体から、マルチアクセスによるマルチチャンネル再生によってコンテンツを再生する場合に、再生開始動作の遅延を少なくすることができるようにしたものである。
【課題を解決するための手段】
【００１４】
この発明のディスク記録方法では、
ディスク媒体の一部エリアに、複数のコンテンツデータを記録するとともに、別のエリアに、その各コンテンツデータ中の、それぞれ対応するコンテンツの一部または全部の内容を含み、かつ対応するコンテンツデータよりデータ量の少ないインデックスデータを、まとめて記録する。
【００１５】
上記の、この発明のディスク記録方法では、コンテンツデータの記録エリアとは別のエリア、例えば、ディスク媒体の最内周付近または最外周付近に、各コンテンツデータに対応する各インデックスデータを、まとめて記録するので、マルチアクセスによるマルチチャンネル再生の開始時、そのインデックスデータを再生することによって、チャンネル間で読み取りヘッドをディスク径方向に大きく移動させる必要がなく、ヘッド移動時間を短縮することができ、再生開始動作の遅延を少なくすることができる。
【００１６】
また、複数のコンテンツデータを１セッションとして、１枚のディスク媒体に複数のセッションを設ける場合には、各セッションごとに、そのセッションの始まり部分または終わり部分に、そのセッションの各コンテンツデータに対応する各インデックスデータを、まとめて記録するので、マルチアクセスによるマルチチャンネル再生の開始時、そのインデックスデータを再生することによって、セッション内ではチャンネル間で読み取りヘッドをディスク径方向に大きく移動させる必要がなく、ヘッド移動時間を短縮することができ、再生開始動作の遅延を少なくすることができる。
【発明の効果】
【００１７】
以上のように、この発明のディスク記録方法によれば、マルチアクセスによるマルチチャンネル再生によってコンテンツを再生する場合に、再生開始動作の遅延を少なくすることができる。
【発明を実施するための最良の形態】
【００１８】
〔記録方法および記録装置の実施形態：図１〜図９〕
（記録方法の第１の例：図１および図２）
図１は、この発明のディスク記録方法の一例を示し、ディスク媒体のコンテンツデータ記録エリアとは別のインデックスデータ記録エリアに各インデックスデータを、まとめて記録する場合である。
【００１９】
具体的に、この例では、ディスク媒体として光ディスク１、例えばＣＤを用い、その内端１ａ近傍から外端１ｂ近傍までの記録可能エリア１ｒ内において、最内周部にＣＤで設けられるＴＯＣ（Ｔａｂｌｅ  Ｏｆ  Ｃｏｎｔｅｎｔｓ）記録エリアＡｔを設定し、その外側の内周部にインデックステーブル記録エリアＡｎを設定し、その外側にインデックスデータ記録エリアＡｉを設定し、その外側にコンテンツデータ記録エリアＡｃを設定する。
【００２０】
コンテンツデータ記録エリアＡｃに記録する各コンテンツのデータは、各曲や各映像タイトルなどの各コンテンツの、ＰＣＭ（Ｐｕｌｓｅ  Ｃｏｄｅ  Ｍｏｄｕｌａｔｉｏｎ）データのような圧縮されていないデータ、またはＭＰ３（ＭＰＥＧ−１  Ａｕｄｉｏ  Ｌａｙｅｒ−３）やＭＰＥＧ−２などの圧縮方式によって圧縮されたデータである。
【００２１】
これに対して、インデックスデータ記録エリアＡｉに記録する各インデックスデータは、コンテンツデータ記録エリアＡｃに記録される各コンテンツデータ中の、それぞれ対応するコンテンツの一部または全部の内容を含むものとするが、対応するコンテンツデータよりデータ量の少ないものとする。
【００２２】
具体的に、コンテンツデータとインデックスデータの組み合わせとしては、
（１）コンテンツデータが低圧縮率で圧縮されたデータ、インデックスデータがコンテンツの一部の内容のみを含む高圧縮率で圧縮されたデータ、
（２）コンテンツデータが低圧縮率で圧縮されたデータ、インデックスデータがコンテンツの全部の内容を含む高圧縮率で圧縮されたデータ、
（３）コンテンツデータが圧縮されたデータ、インデックスデータがコンテンツの一部の内容のみを含む、コンテンツデータと同じ圧縮率で圧縮されたデータ、
（４）コンテンツデータが圧縮されていないデータ、インデックスデータがコンテンツの一部の内容のみを含む圧縮されたデータ、
（５）コンテンツデータが圧縮されていないデータ、インデックスデータがコンテンツの全部の内容を含む圧縮されたデータ、
（６）コンテンツデータが圧縮されていないデータ、インデックスデータがコンテンツの一部の内容のみを含む圧縮されていないデータ、
の各場合を含む。
【００２３】
ただし、インデックスデータは、データ量をより少なくして、インデックスデータ記録エリアＡｉをより縮小し、読み取り時間をより短縮するために、圧縮することが望ましく、しかも、できるだけ高い圧縮率で圧縮することが望ましい。特に、インデックスデータをコンテンツの全部の内容を含むものとする場合には、高い圧縮率で圧縮することが望ましい。
【００２４】
（１）（３）（４）（６）の場合、インデックスデータの内容の、コンテンツの一部は、曲や映像タイトルの先頭部、または特徴的な部分とする。
【００２５】
インデックスデータを曲や映像タイトルの先頭部とする場合、後述のように、マルチアクセスによる頭出し再生や通常再生（曲や映像タイトルの全体の再生）などの再生の開始時、コンテンツデータ記録エリアＡｃに記録されたコンテンツデータに代えて、インデックスデータ記録エリアＡｉに記録されたインデックスデータを再生することによって、チャンネル間で読み取り用の光ヘッドを光ディスク１の径方向に大きく移動させる必要がなく、ヘッド移動時間を短縮することができ、再生開始動作の遅延を少なくすることができる。
【００２６】
特徴的な部分とは、コンテンツが曲の場合には、曲のサビの部分や、曲名が分かるような部分であり、コンテンツが映像タイトルの場合にも、同様の部分である。
【００２７】
インデックスデータを曲や映像タイトルの特徴的な部分とする場合、曲や映像タイトルを検索する場合などにおいて、このインデックスデータを再生することによって、同様に再生開始動作の遅延を少なくすることができる。
【００２８】
インデックスデータをコンテンツの全部の内容を含むものとする場合にも、通常再生、早送り再生、早戻し再生などの再生時、このインデックスデータを再生することによって、同様に再生開始動作の遅延を少なくすることができる。
【００２９】
インデックステーブル記録エリアＡｎには、インデックステーブルとして、インデックスデータ記録エリアＡｉに記録されるインデックスデータの数、番号、および各インデックスデータの始まりや終わりの光ディスク１上のアドレスなどを記録する。
【００３０】
ＴＯＣ記録エリアＡｔには、一般にＣＤで記録されているように、ＴＯＣとして、コンテンツデータ記録エリアＡｃに記録される曲データなどのコンテンツデータの数、番号、および各コンテンツデータの始まりや終わりの光ディスク１上のアドレスなどを記録する。
【００３１】
このように、図１の例では、光ディスク１の最内周部にＴＯＣを記録する点では通常のＣＤと同じであるので、記録後の光ディスク１を通常のＣＤとして再生することもできる。
【００３２】
図２に、ＴＯＣ、インデックステーブル、各インデックスデータおよび各コンテンツデータの関係を示す。ただし、各コンテンツデータを低圧縮の曲データとし、各インデックスデータを高圧縮の曲先頭部データとする場合である。
【００３３】
各コンテンツデータは、ＴＯＣによって参照検出され、各インデックスデータは、インデックステーブルによって参照検出される。
【００３４】
この例では、各インデックスデータには、それぞれ、当該のインデックスデータに対応するコンテンツデータの、曲先頭部の直後の光ディスク１上のアドレスｘを示すアドレス情報ＡＤＲｘを付加する。これによって、再生時、インデックスデータによって曲の先頭部を再生した後、直ちに、コンテンツデータによって同じ曲の後続部分を連続して再生することができる。
【００３５】
また、コンテンツデータおよびインデックスデータは、それぞれ、デコード後の時間でみて１秒／７５の時間分のフレーム単位のデータとする。これによって、上記のようにインデックスデータとコンテンツデータを連続して再生したとき、ボツ音を生じるようなことがなくなる。
【００３６】
（記録方法の第２の例：図３〜図５）
図３は、この発明のディスク記録方法の他の例を示し、複数の曲や映像タイトルなどの、複数のコンテンツごとに、セッションを設定し、各セッションごとに、そのセッションのリードイン部またはリードアウト部に、そのセッションの各コンテンツデータに対応する各インデックスデータを、まとめて記録する場合である。
【００３７】
セッションとは、リードイン（データの始まりを示す部分）、データ本体、およびリードアウト（データの終わりを示す部分）からなる一連のデータのかたまりであり、データ本体として複数のコンテンツデータを含むものである。
【００３８】
具体的に、この例では、ディスク媒体として光ディスク１、例えばＤＶＤを用い、その内端１ａ近傍から外端１ｂ近傍までの記録可能エリア１ｒ内において、最内周部にテーブル記録エリアＡｕを設定し、その外側にセッション記録エリアＡｓを設定する。
【００３９】
図４に図３中の部分３を拡大して示すように、セッション記録エリアＡｓには、セッションごとに、最初（最も内側）にリードインＲｉ１，Ｒｉ２…を、その直後（すぐ外側）にインデックスデータＩ１，Ｉ２…を、そのあと（外側）のデータエリアＳ１，Ｓ２…にコンテンツデータを、最後（最も外側）にリードアウトＲｏ１，Ｒｏ２…を、それぞれ記録する。
【００４０】
データエリアＳ１，Ｓ２…のコンテンツデータは、それぞれ、複数の曲や映像タイトルなどの、複数のコンテンツのデータを含むものであり、インデックスデータＩ１，Ｉ２…は、それぞれ、同じセッション内の複数のコンテンツデータに対応する複数のインデックスデータを含むものである。
【００４１】
すなわち、この例は、図１の例のように光ディスク１の別個のエリアに記録される複数のコンテンツデータおよび複数のインデックスデータを１セッションとして、複数セッションのコンテンツデータおよびインデックスデータを光ディスク１に記録するものである。
【００４２】
各コンテンツデータおよび各インデックスデータは、図１の例と同じで、上記（１）〜（６）のいずれかとする。
【００４３】
したがって、マルチアクセスによるマルチチャンネル再生の開始時、コンテンツデータに代えてインデックスデータを再生することによって、セッション内ではチャンネル間で読み取り用の光ヘッドを光ディスク１の径方向に大きく移動させる必要がなく、ヘッド移動時間を短縮することができ、再生開始動作の遅延を少なくすることができる。
【００４４】
リードインＲｉ１，Ｒｉ２…には、図１の例のＴＯＣのようなコンテンツテーブルを、セッションごとに分散させて記載する。
【００４５】
最内周部のテーブル記録エリアＡｕには、セッション情報として、セッション記録エリアＡｓに記録されるセッションの数、番号、各セッションのリードインおよびリードアウトの光ディスク１上のアドレスなどを記録する。
【００４６】
さらに、このテーブル記録エリアＡｕに、ユーザによって定められるディスクＩＤ、すなわち、個々のディスク媒体に固有の、個々のディスク媒体を識別できる情報を記録するようにしてもよい。
【００４７】
図５に、各セッションにおける、リードイン、各インデックスデータおよび各コンテンツデータの関係を示す。ただし、各コンテンツデータを低圧縮の曲データとし、各インデックスデータを高圧縮の曲先頭部データとする場合である。
【００４８】
この例では、図２の例と同様に、各インデックスデータには、それぞれ、当該のインデックスデータに対応するコンテンツデータの、曲先頭部の直後の光ディスク１上のアドレスｘ１，ｘ２…を示すアドレス情報ＡＤＲｘ１，ＡＤＲｘ２…を付加する。これによって、再生時、インデックスデータによって曲の先頭部を再生した後、直ちに、コンテンツデータによって同じ曲の後続部分を連続して再生することができる。
【００４９】
また、図２の例と同様に、コンテンツデータおよびインデックスデータは、それぞれ、デコード後の時間でみて１秒／７５の時間分のフレーム単位のデータとする。これによって、上記のようにインデックスデータとコンテンツデータを連続して再生したとき、ボツ音を生じるようなことがなくなる。
【００５０】
（コンテンツデータへのリンク態様：図６および図７）
図２および図５の例は、再生時、インデックスデータによって曲の先頭部が再生された後、コンテンツデータによって同じ曲の後続部分が再生されるようにする場合であるが、インデックスデータからコンテンツデータへのリンクは、以下のようにすることもできる。
【００５１】
図６の例では、各コンテンツデータを低圧縮の曲データとするとともに、各インデックスデータを、高圧縮の曲先頭部データからなるペイロードに対して、ヘッダとして３種のポインタＰｓ，Ｐｍ，Ｐｅおよびインデックスデータ長を示す情報ＬＥＮを付加したものとする。
【００５２】
ポインタＰｓは、当該のインデックスデータに対応するコンテンツデータの先頭アドレスを指示するものであり、ポインタＰｍは、当該のインデックスデータに対応するコンテンツデータの、図２および図５の例で上述した曲先頭部の直後のアドレスを指示するものであり、ポインタＰｅは、当該のインデックスデータに対応するコンテンツデータの次のコンテンツデータ（当該の曲の次の曲）の先頭アドレスを指示するものである。
【００５３】
この場合、再生装置では、ユーザの操作によって、頭戻り再生モード、後続部分連続再生モードおよび次曲再生モードのうちの、いずれかが選択されるようにする。
【００５４】
頭戻り再生モードでは、ペイロードによって曲の先頭部が再生された後、矢印５ｓで示すようにポインタＰｓによって同じ曲の先頭に戻って、対応するコンテンツデータによって同じ曲が再生されるようにする。
【００５５】
後続部分連続再生モードでは、ペイロードによって曲の先頭部が再生された後、矢印５ｍで示すようにポインタＰｍによって同じ曲の後続部分に接続して、対応するコンテンツデータによって同じ曲の後続部分が再生されるようにする。
【００５６】
次曲再生モードでは、ペイロードによって曲の先頭部が再生された後、矢印５ｅで示すようにポインタＰｅによって次の曲の先頭に飛んで、次のコンテンツデータによって次の曲が再生されるようにする。
【００５７】
図７の例では、各コンテンツデータを低圧縮の曲データとするとともに、各インデックスデータを、高圧縮の曲特徴部データからなるペイロードに対して、ヘッダとして２種のポインタＰｓ，Ｐｅおよびインデックスデータ長を示す情報ＬＥＮを付加したものとする。
【００５８】
ポインタＰｓ，Ｐｅは、図６の例のそれと同じであり、再生装置では、ユーザの操作によって、頭戻り再生モードおよび次曲再生モードのうちの、いずれかが選択されるようにする。
【００５９】
頭戻り再生モードでは、ペイロードによって曲の特徴的な部分が再生された後、矢印５ｓで示すようにポインタＰｓによって同じ曲の先頭に戻って、対応するコンテンツデータによって同じ曲が再生されるようにする。
【００６０】
次曲再生モードでは、ペイロードによって曲の特徴的な部分が再生された後、矢印５ｅで示すようにポインタＰｅによって次の曲の先頭に飛んで、次のコンテンツデータによって次の曲が再生されるようにする。
【００６１】
なお、以上の例は、インデックスデータからコンテンツデータへのリンク態様の一例であって、要求される再生用途に応じて、その他の方法を採ることもできる。
【００６２】
（記録装置の例：図８および図９）
図８に、以上のような方法によって光ディスク１にデータを記録する装置の一例を示す。
【００６３】
この例のディスク記録装置１０では、光ディスク１が、スピンドルモータ１１によって回転駆動され、光ヘッド１３が、図では省略したヘッド移動機構によって、光ディスク１の径方向に移動させられる。
【００６４】
図では省略するが、光ヘッド１３の移動、トラッキングおよびフォーカシング、および光ディスク１の回転については、周知のサーボコントロール機構が構成される。
【００６５】
光ヘッド１３に対しては、再生系および記録系が設けられる。再生系では、光ヘッド１３によって光ディスク１から読み取られたデータが、ＲＦアンプ２１を通じて復調エラー訂正回路２２に供給されて、復調され、エラー訂正される。さらに、エラー訂正後のデータが、再生処理部２３で、インデックスデータの生成用に一旦伸長されるなど、処理される。
【００６６】
記録系では、記録処理部２５で、後述のように、インデックスデータが生成され、必要に応じて必要な圧縮率で圧縮され、コンテンツデータが必要に応じて必要な圧縮率で圧縮され、インデックステーブルおよびＴＯＣや、セッション情報などが生成され、さらに各データが編集される。
【００６７】
編集後のデータは、変調回路２６で変調される。さらに、記録回路２７で、変調後のデータによって、光ヘッド１３から光ディスク１に照射される記録用レーザ光が制御されて、変調後のデータが光ディスク１に記録される。
【００６８】
この例のディスク記録装置１０は、大容量記憶装置として、ハードディスク１５を内蔵したＨＤＤ（ハードディスクドライブ）１６を備え、そのハードディスク１５に、あらかじめ、後述の記録処理ルーチンなどを含む各種プログラム、および光ディスク１に記録する編集処理前のコンテンツデータが格納されるとともに、その時々で随時、光ディスク１に記録する編集処理後のコンテンツデータや生成されたインデックスデータなどが書き込まれる。
【００６９】
システムコントローラ１７は、コンピュータによって構成され、図では省略するが、ＣＰＵ、およびプログラムやデータが展開されるＲＡＭなどを備える。システムコントローラ１７には、操作部１８および表示部１９が接続される。
【００７０】
以上の構成のディスク記録装置１０では、システムコントローラ１７が、ハードディスク１５に格納されている記録処理ルーチンに従って、以下のような記録処理を実行することによって、図１〜図７に示したような方法で光ディスク１にデータが記録される。
【００７１】
図９（Ａ）に、その記録処理ルーチンの一例を示す。この例の記録処理ルーチン３１０では、操作部１８でのユーザの操作に基づいて、まずステップ３１１で、コンテンツデータおよびインデックスデータをエンコードする。すなわち、光ディスク１に記録するコンテンツデータを、圧縮されていないものについては必要に応じて圧縮するとともに、コンテンツデータからコンテンツの一部または全部の内容を含むデータを抽出し、必要に応じて圧縮して、インデックスデータを生成する。
【００７２】
次に、書き込みイメージ生成処理ルーチン３２０に進んで、書き込みイメージを生成し、その後、ステップ３１３に進んで、その生成した書き込みイメージを光ディスク１に記録する。
【００７３】
図９（Ｂ）に示すように、書き込みイメージ生成処理ルーチン３２０では、例えば、図１の例の方法によってデータを記録する場合、まずステップ３２１で、コンテンツデータ記録エリアＡｃおよびＴＯＣ記録エリアＡｔとは別にインデックスデータ記録エリアＡｉおよびインデックステーブル記録エリアＡｎを確保する処理を行い、次にステップ３２２で、コンテンツデータ記録エリアＡｃにコンテンツデータを配置する処理を行い、次にステップ３２３で、インデックスデータ記録エリアＡｉにインデックスデータを配置する処理を行う。
【００７４】
次に、ステップ３２４で、図２に示したアドレス情報ＡＤＲｘや図６または図７に示したポインタのようなリンク情報を記載し、次にステップ３２５で、インデックステーブルを生成し、次にステップ３２６で、ＴＯＣを生成して、書き込みイメージを生成する。
【００７５】
図３および図４の例の方法によってデータを記録する場合にも、同様の処理によって、書き込みイメージを生成する。
【００７６】
なお、光ディスク１を再編集する場合、光ディスク１が追記型のものである場合には追記によって、光ディスク１が書き替え可能なものである場合には上書きによって、それぞれデータを記録する。
【００７７】
〔再生装置および再生方法の実施形態：図１０および図１１〕
図１０は、上述した、この発明の方法によってデータが記録された光ディスク１を再生する装置の一例を示し、マルチアクセスによるマルチチャンネル再生が可能なものである。
【００７８】
記録後の光ディスク１は、スピンドルモータ３１によって回転駆動され、読み取り用の光ヘッド３３は、スレッド３５に取り付けられ、スレッドモータ３６によって、スレッド軸３７に沿って、光ディスク１の径方向に移動させられる。
【００７９】
光ヘッド３３の読み取り出力は、ＲＦアンプ４１に供給されて、ＲＦアンプ４１から、フォーカスエラー信号、トラッキングエラー信号、および記録データが得られる。
【００８０】
そのフォーカスエラー信号およびトラッキングエラー信号は、サーボコントローラ３９に供給され、サーボコントローラ３９からのフォーカスサーボ制御信号およびトラッキングサーボ制御信号によって、光ヘッド３３のフォーカシングおよびトラッキングが制御される。記録データは、復調エラー訂正回路４２で、復調され、エラー訂正される。
【００８１】
記録データとしては、図１の例の方法によって光ディスク１にデータが記録された場合には、ＴＯＣ、インデックステーブル、インデックスデータおよびコンテンツデータなどが得られ、図３および図４の例の方法によって光ディスク１にデータが記録された場合には、セッション情報、および各セッションのリードイン、インデックスデータ、コンテンツデータおよびリードアウトなどが得られる。
【００８２】
そのＴＯＣおよびインデックステーブル、またはセッション情報およびリードインなどは、システムコントローラ５１に取り込まれ、サーボコントローラ３９によるスピンドルモータ３１およびスレッドモータ３６の駆動制御による光ディスク１へのアクセスに用いられる。
【００８３】
復調エラー訂正回路４２からのインデックスデータおよびコンテンツデータは、チャンネル分割回路４３で、最大ｎチャンネルの範囲内で、そのときの光ディスク１へのアクセスチャンネル数分に分割される。
【００８４】
分割された各チャンネルのインデックスデータおよびコンテンツデータは、バッファメモリ４５１，４５２，４５３…４５ｎに蓄積された後、バッファメモリ４５１，４５２，４５３…４５ｎから読み出され、デコーダ４７１，４７２，４７３…４７ｎでデコードされて、最大ｎチャンネルの再生出力ＰＢ１，ＰＢ２，ＰＢ３…ＰＢｎが得られる。
【００８５】
バッファメモリ４５１，４５２，４５３…４５ｎとしては、あらかじめｎチャンネル分が用意され、または、ＤＲＡＭ（Ｄｙｎａｍｉｃ  ＲＡＭ）などのメモリ上に、そのときのアクセスチャンネル数分のバッファメモリが設定される。
【００８６】
もちろん、インデックスデータおよびコンテンツデータの、バッファメモリ４５１，４５２，４５３…４５ｎからの読み出し、およびデコーダ４７１，４７２，４７３…４７ｎでのデコードは、光ディスク１からの読み取り、およびバッファメモリ４５１，４５２，４５３…４５ｎへの転送および蓄積より低いビットレートで実行される。
【００８７】
システムコントローラ５１は、コンピュータによって構成され、図では省略するが、ＣＰＵ、このＣＰＵが実行する後述の再生処理ルーチンを含む各種プログラムや各種のデータが格納されたＲＯＭなどの記憶部、およびプログラムやデータが展開されるＲＡＭなどを備える。
【００８８】
システムコントローラ５１には、操作部５５および表示部５７が接続される。この例では、操作部５５は、光ディスク１への各チャンネルのアクセスのための操作を含む各種の操作を行うもので、操作部５５からシステムコントローラ５１には、最大ｎチャンネルのアクセス操作に応じたコマンドＣＭ１，ＣＭ２，ＣＭ３…ＣＭｎが与えられ、システムコントローラ５１は、そのコマンドＣＭ１，ＣＭ２，ＣＭ３…ＣＭｎに従ってアクセス制御を実行する。
【００８９】
図１１は、システムコントローラ５１が実行する再生処理ルーチンの一例を示し、インデックスデータが曲先頭部のデータであって、かつ、インデックスデータの再生後は、頭戻り再生モードまたは後続部分連続再生モードとして上述したように、同じ曲の先頭に戻って、または同じ曲の後続部分に接続して、対応するコンテンツデータを再生する場合である。
【００９０】
この例の再生処理ルーチン３３０では、ディスク再生装置９０のシステムが起動し、光ディスク１がディスク再生装置９０にロードされている状態で処理を開始して、まずステップ３３１で、操作入力があるか否かを判断する。
【００９１】
ここでの操作入力は、（ａ）頭出し再生や通常再生など、ユーザによる再生操作、（ｂ）一時停止や再生停止など、ユーザによるシステム終了以外の停止操作、（ｃ）ユーザによるディスク再生装置９０の電源の遮断など、システム終了となる事由の発生、に大別される。
【００９２】
これらのうちの、いずれかの操作入力があったときには、ステップ３３１からステップ３３２に進んで、その操作入力が再生操作であるか否かを判断し、再生操作でなければ、さらにステップ３３３に進んで、操作入力がシステム終了か否かを判断する。
【００９３】
そして、操作入力がシステム終了であれば、処理を終了し、操作入力がシステム終了でなければ、すなわち停止操作であれば、ステップ３３３からステップ３３４に進んで、停止操作に応じた処理を行って、ステップ３３１の操作入力待ち状態に戻る。
【００９４】
ステップ３３２で、再生操作の操作入力があったと判断したときには、ステップ３３５に進んで、光ディスク１から、指定されたコンテンツに対応するインデックスデータを読み取って、チャンネル分割回路４３に転送し、上述したように再生する。
【００９５】
さらに、インデックスデータの再生中、ステップ３３６で、操作入力があるか否かを判断し、操作入力がなければ、ステップ３３７に進んで、当該のインデックスデータが終了するか否かを判断し、終了しなければ、ステップ３３５に戻って、当該のインデックスデータの読み取り再生を続行する。
【００９６】
当該のインデックスデータが終了するまでの間に操作入力があったときには、ステップ３３６からステップ３３２に戻って、上述したように、いずれの操作入力であるかを判断し、操作入力に応じた処理を行う。
【００９７】
当該のインデックスデータが終了するまでの間に操作入力がなければ、ステップ３３７からステップ３３８に進んで、光ディスク１から、当該のインデックスデータに対応するコンテンツデータを読み取って、チャンネル分割回路４３に転送し、上述したように再生する。
【００９８】
コンテンツデータの再生中も、ステップ３３９で、操作入力があるか否かを判断し、操作入力がなければ、ステップ３４１に進んで、当該のコンテンツデータが終了するか否かを判断し、終了しなければ、ステップ３３８に戻って、当該のコンテンツデータの読み取り再生を続行する。
【００９９】
そして、当該のコンテンツデータが終了するまでの間に操作入力がなければ、ステップ３４１から、ステップ３３１の操作入力待ち状態に戻る。
【０１００】
以上は、再生操作および停止操作が１チャンネルの場合であるが、マルチアクセスによるマルチチャンネル再生時には、再生操作および停止操作につき、チャンネルごとに以上の再生処理が実行される。したがって、上述したように、マルチアクセスによるマルチチャンネル再生時、再生開始動作の遅延を少なくすることができる。
【０１０１】
なお、再生方法としては、別の方法として、記録後の光ディスク１のディスク再生装置９０へのロード時や、光ディスク１がディスク再生装置９０にロードされていて、かつ光ディスク１へのアクセスがない時などにおいて、システムコントローラ５１の制御によって、光ディスク１から各インデックスデータを読み取って、不揮発性メモリからなる記憶部に書き込んでおき、マルチアクセスによるマルチチャンネル再生時、光ディスク１からインデックスデータを読み取る代わりに、その記憶部からインデックスデータを読み出して再生するようにしてもよい。この場合にも、再生開始動作の遅延を少なくすることができる。
【０１０２】
図１０の例のディスク再生装置９０は、例えば、車載用の音楽再生システムとして、車の前方座席の前方部などに設置し、例えば、再生出力ＰＢ１を、前方座席で音楽を聞くユーザ用のチャンネルの音声出力装置に送信して、前方座席の左右位置などに設けられたスピーカから再生出力ＰＢ１の曲を出力し、再生出力ＰＢ２，ＰＢ３…ＰＢｎを、それぞれ後部座席で音楽を聞くユーザ用のチャンネルの音声出力装置に送信して、その音声出力装置に接続されたヘッドホンによって再生出力ＰＢ２，ＰＢ３…ＰＢｎの曲を出力するシステム構成とすることができる。
【０１０３】
これによれば、例えば、車内の各ユーザは、助手席のユーザによる操作部５５での操作によって、ディスク再生装置９０のシステムコントローラ５１に対して、希望する曲の頭出し再生や通常再生などを指示し、再生開始がそれほど遅れることなく、曲を聴くことができる。
【０１０４】
なお、デコーダ４７１，４７２，４７３…４７ｎは、ディスク再生装置９０側ではなく、各チャンネルの音声出力装置側に設けてもよい。
【０１０５】
ディスク再生システムとしては、そのほか、例えば、住居内で用いられるシステムとして、ディスク再生装置９０および各チャンネル（各ユーザ用）の映像音声出力装置を設け、ディスク再生装置９０では、光ディスク１に記録されている映像タイトル（映像および音声）を再生して、その再生出力を各チャンネルの映像音声出力装置に送信するとともに、光ディスク１への各チャンネルのアクセスのための操作を各ユーザが映像音声出力装置側で個別に行い、その操作によるコマンドを映像音声出力装置からディスク再生装置９０のシステムコントローラ５１に送信するシステム構成とすることもできる。
【０１０６】
〔他の実施形態〕
コンテンツデータおよびインデックスデータを記録再生するディスク媒体は、光ディスクに限らず、磁気ディスクや光磁気ディスクなどでもよい。
【図面の簡単な説明】
【０１０７】
【図１】この発明のディスク記録方法の一例を示す図である。
【図２】図１の例における各データの関係の一例を示す図である。
【図３】この発明のディスク記録方法の他の例を示す図である。
【図４】図３の一部を拡大して示す図である。
【図５】図３および図４の例における各データの関係の一例を示す図である。
【図６】コンテンツデータへのリンク態様の一例を示す図である。
【図７】コンテンツデータへのリンク態様の一例を示す図である。
【図８】この発明のディスク記録装置の一例を示す図である。
【図９】記録処理ルーチンおよび書き込みイメージ生成処理ルーチンの一例を示す図である。
【図１０】この発明のディスク記録方法に対応したディスク再生装置の一例を示す図である。
【図１１】この発明のディスク記録方法に対応した再生処理ルーチンの一例を示す図である。
【図１２】マルチアクセスの場合のアクセス動作を示す図である。
【図１３】マルチアクセスの場合のデータの読み取りおよび再生を示す図である。
【符号の説明】
【０１０８】
主要部については図中に全て記述したので、ここでは省略する。
【図１】
2005174394.tif 000003
【図２】
2005174394.tif 000004
【図３】
2005174394.tif 000005
【図４】
2005174394.tif 000006
【図５】
2005174394.tif 000007
【図６】
2005174394.tif 000008
【図７】
2005174394.tif 000009
【図８】
2005174394.tif 000010
【図９】
2005174394.tif 000011
【図１０】
2005174394.tif 000012
【図１１】
2005174394.tif 000013
【図１２】
2005174394.tif 000014
【図１３】
2005174394.tif 000015